(57)【要約】本発明のスポーツ用衣服、特に、モーターサイクリストのためのスポーツ用衣服は、使用状態の元で、モーターサイクルと接触または少なくとも擦接する部分である着用者の身体の部分に対応して、外表面上に、スリップ抵抗材料で作られた領域（４０、４２、４４、４６、４８）が設けられていることを特徴とする。
2004538385.tif 000002
【特許請求の範囲】
【請求項１】
使用状態の元で、モーターサイクルと接触または少なくとも擦接する部分である着用者の身体の部分に対応して、外表面上に、スリップ抵抗材料で作られた領域（４０、４２、４４、４６、４８）が設けられたことを特徴とする、特に、モーターサイクリストのための、スポーツ用衣服。
【請求項２】
スリップ抵抗材料で作られた前記領域の一部（４０、４２）が、着用者の腹部および成るべくならば最下部の肋骨に対応して、前記中央開き口（１６）の右側および左側の両側に設けられたことを特徴とする、特に、前中央開き口（１６）を有する、モーターサイクリストのための上着等の、スポーツ用衣服。
【請求項３】
スリップ抵抗材料で作られた領域（４４）が、着用者の手首に接近できる袖部分に設けることができる開き（２０）の上方に、前腕に対応して、また設けられたことを特徴とする請求項２記載の、特に、モーターサイクリストのための上着等の、スポーツ用衣服。
【請求項４】
スリップ抵抗材料で作られた領域（４６）が、鼠けい部の保護として設けられた同一ズボンの部分（３０）から始まって、着用者の膝の保護として設けられた部分（３６）を越えて下方に延びる、脚部の内側に沿って設けられたことを特徴とする、特に、モーターサイクリストのズボン等の、スポーツ用衣服。
【請求項５】
スリップ抵抗材料で作られた領域（４８）が、ふくらはぎに対応して、着用者の脚部の内側に沿って設けられたことを特徴とする請求項４記載の、特に、モーターサイクリストのズボン等の、スポーツ用衣服。
【請求項６】
スリップ抵抗材料で作られた前記領域（４０、４２、４４、４６、４８）が、種々な寸法と形態の弾性材料の条片の形に設けられ、前記条片が超音波溶接、縫合、接合または或る種の他の、それ自体は良く知られた方法によって取り付けられることを特徴とする上記請求項のいずれか１つに記載のスポーツ用衣服。
【請求項７】
前記スリップ抵抗領域（４０、４２、４４、４６、４８）が、例えば二トリルゴムのような弾性材料で作られたことを特徴とする上記請求項のいずれか１つに記載のスポーツ用衣服。
【請求項８】
前記弾性材料の混合物中に、軽石のような研磨材料が含まれることを特徴とする請求項７記載のスポーツ用衣服。
【請求項９】
前記弾性材料の表面に、特別な粗いパターンが押印されたことを特徴とする請求項７記載のスポーツ用衣服。
【請求項１０】
前記スリップ抵抗領域（４０、４２、４４、４６、４８）が、商品名「ベルクロ（Ｖｅｌｃｒｏ）（登録商標）」として一般に知られる、所謂ループアンドフック材料で作られたことを特徴とする上記請求項のいずれか１つに記載のスポーツ用衣服。
【請求項１１】
スリップ抵抗材料で作られた前記領域（４０、４２、４４、４６、４８）によって含まれる部分と異なる着用者の身体の他の部分に対応して、外表面の領域（２８、３０、３２、３４）が摩滅抵抗材料で作られていることを特徴とする上記請求項のいずれか１つに記載のスポーツ用衣服。
【発明の詳細な説明】
【０００１】
本発明は、スポーツ用衣服等の物品、特に、モーターサイクリスト用の衣服に関するものである。
【０００２】
モーターサイクリストと同様な者のためのスポーツ用衣服の分野における技術の状況は、周囲の状態（空気、雨、寒気、および同様なもの）と、高速度でレースをしたり走行する時に起こる恐れのある転倒の結果と、の両方に対して着用者の身体の最良に可能な保護を確実にする通常のゴールに主に焦点が絞られる。これは、市場において、今日市販されている衣服の種類から断定できるだけではなく、技術的文献の記載からも推測できる（例えば、特許出願ＷＯ−Ａ−９００３１２６号明細書、特許出願ＷＯ−Ａ−９９０００３０号明細書参照。）。
【０００３】
これに対して、非常な高速度での上記の全てのスポーツレース中に、運転者が所謂ストリームライン位置をとる時に、モーターサイクルにできるだけ接着して残ることができる衣服が利用できることがモーターサイクリストにおいて重要である。運転者の身体がモーターサイクルに近接して、但し完全には接触しない、領域における空気流によってもたらされる恐れのある渦巻が、着用者の安全性を損なう恐れのあるドラッグの不安定性を実際に増大するようになる。
【０００４】
本発明の目的に最も近づくように見られる技術の状態は、本出願人の最良の認識に対して、運転する時に、例えば、運転者の身体が所謂、流線形位置に前方にかがむ場合に、或いはまた、カーブを切る時に傾けたりする場合に、表面領域と接触するようになる衣服の部分の滑る傾向を抑制する目的に対して、モーターサイクルの、例えば燃料タンク、の或る表面領域に、サンドペーパーの条片を適用するように、幾人かのスポーツモーターサイクリストによって開発された衣服にある。
【０００５】
従って、本発明の主な目的は、シンプルであるほど効果的であるだけでなく、製作費用の明確な末端の増大を丁度、強要する手段によって、上述した今までに過小評価された要求に出会うことができるモーターサイクリストのための衣服を提供することであり、そのために、モーターサイクリストは、製品の範囲に亙って使用できて、大いに洗練された高価な物品ではない。
【０００６】
これを達成し、さらに目的とするために、本発明は、添付の図面を参照して推奨されるが、単なる実施例として制限されることのない、例によって与えられる説明から、より明確に、かつ容易に理解できるように、添付の請求の範囲に記載される特長を有する衣服を提供するものである。
【０００７】
図面に示される衣服は、上着１０と、弾性のあるリボンのバンド１４によって互いに分離可能に接合された一対のズボン１２とを有している。着用できるようにするために、衣服には、襟１８から、ズボン１２の２つの脚部２０の接合する縫い目にまで大体下方に延びる中央開き口１６が前部に設けられると共に、袖２２の手首領域（図１参照）に近接した上着１０の各袖２２に沿った開き２０と、脚部２６の自由端部（図２参照）に近接した各脚部２６の開き２４とが設けられている。これら全ての開き１６、２０、２４は、ジップファスナーや同様なものによって閉じるように出来る。
【０００８】
慣例では、上着は、空気が通らず、かつ成るべくは水も通らない外表面層（例えば、天然または合成皮革で造られた）と、詰め物の層と、内ライニングとから構成される複合構造を有している。
【０００９】
さらに、摩滅抵抗材料で被覆された、衣服の幾つかの特別な表面領域がある、すなわち、
符号２８にて大体示される領域は、腋の窪みと肘との間の袖２２の前側に延びており、
符号３０で大体示される領域は、ズボン１２の鼠けい部と脚部２６の上部との間に位置しており、
符号３４で大体示される領域は、膝パッド３６の上に位置されており（図１参照）、
符号３２で大体示される領域は、ふくらはぎに沿って膝にまで延びている（図２参照）。
【００１０】
本発明に従えば、スリップ抵抗材料で被覆された、使用の際に、モーターサイクルの本体と接触するようになる衣服の幾つかの表面領域が最終的にある、すなわち、
符号４０と４２で示される領域は、腹部に対応しており、かつ、上記した中央開き口１６の右側部分と左側部分の両方の部分において、成るべく、ドライバーの最下方の肋骨に対応している、
符号４４で大体示される領域は、開き２０の上方に、着用者の前腕と一致して袖２２に沿って延びている、
符号４６で大体示される領域は、摩滅抵抗の低下している上着の既に述べた領域３０から始まって脚部の内側に沿って延びて、膝パッド３６をさらに越えて延びている、
符号４８で大体示される領域は、着用者のふくらはぎに対応した脚部２６の内側に沿って位置されている。
【００１１】
衣服の上述した領域４０、４２、４４、４６、４８を設けるために使用するのに適したスリップ抵抗材料として、例えば、軽石のような研磨剤を混合物中に含むことができる二トリルゴムのようなスリップ抵抗エラストマーを考えることができ、縫製や、縁縫い、超音波溶着、接着や、他の多数の、それ自体は良く知られた方法によって、上着の外表面層の所要の領域に取り付けられる条片を考えることができる。それに代わるものとして、特別に粗いパターンを特徴とするゴム条片や、織物や、或いは商品名「ベルクロ（Ｖｅｌｃｒｏ）（登録商標）」で良く知られた所謂、ループアンドフック材料等で、また造ることができる。
【００１２】
大いに明らかに、モーターサイクルの対応する表面領域、例えば燃料タンクやモーターサイクルのフレーム等は、それらを同様な材料で被覆したり、衣服の領域４０、４２、４４、４６、４８に使用した材料と両立できる材料で同様に被覆することができる。
【００１３】
以上の説明が衣服に就いて行われたが、本発明は、上着や一対のズボンのような簡単な外被として作用する、単体を覆うものとして理解すべきであることが明らかであろう。
【００１４】
添付の特許請求の範囲によって規定されるように、本発明の範囲を逸脱すること無く、上述した説明と異なる実施例に従って、本発明が実施できることが最終的に明らかになろう。
【図面の簡単な説明】
【図１】
本発明に従った衣服の前面図である。
【図２】
同じ衣服の背面図である。
【図１】
2004538385.tif 000003
【図２】
2004538385.tif 000004
【国際公開パンフレット】
2004538385.tif 000005
2004538385.tif 000006
2004538385.tif 000007
2004538385.tif 000008
2004538385.tif 000009
2004538385.tif 000010
2004538385.tif 000011
2004538385.tif 000012
【国際調査報告】
2004538385.tif 000013
2004538385.tif 000014
2004538385.tif 000015